(57)【要約】      （修正有）【課題】紙製であることの利点を生かし、供花と果物などの商品をセットにしたお供も可能にする装飾箱用台座を提供すること。【解決手段】紙製の平板で、一体に連設した後壁、側壁、前壁、側壁から成る連続壁の下部にそれぞれ底部構成壁を有し、前壁上部には切込みを入れて左右側壁の斜傾する前方を折り曲げて側壁裏面部を形成し、更に側壁裏面部の前方に折り曲げ部を有し前壁上部の空洞に保持壁を設けたり、側壁裏面部の差込穴に仕切り板の差込を嵌めると仕切りを設けたり出来る箱体で、後壁上部の天板部構成壁となる延長部分の左右に側壁と側壁裏面部に出来るスリットに嵌める差込片を有し、それぞれ連続壁の縦折れ部分を折り曲げて、前壁からなる底部のくぼみに後壁からなる底部の差込を嵌めて折り畳み状態から組立てた厚紙製の箱。【選択図】図４
2011183092.tif 000002
【特許請求の範囲】
【請求項１】
紙製の平板で、一体に連設した後壁、側壁、前壁、側壁から成る連続壁の下部にそれぞれ底部構成壁を有し、前壁上部には切込みを入れて左右側壁の斜傾する前方を折り曲げて側壁裏面部を形成し、更に側壁裏面部の前方に折り曲げ部を有し前壁上部の空洞に保持壁を設けたり、側壁裏面部の差込穴に仕切り板の差込を嵌めると仕切りを設けたり出来る箱体で、後壁上部の天板部構成壁となる延長部分の左右に側壁と側壁裏面部に出来るスリットに嵌める差込片を有し、それぞれ連続壁の縦折れ部分を折り曲げて、前壁からなる底部のくぼみに後壁からなる底部の差込を嵌めて折り畳み状態から組立てた厚紙製の箱で、上記内部の底に側壁に並行する側壁部裏面部先端の折り曲げ部分が支えられるストッパーになるように段差を設けた複数枚の厚紙製板と垂直する複数枚の厚紙製板とを交差させることによって形成した組立式紙製格子状補強材を置いた装飾箱用台座。
【発明の詳細な説明】
【技術分野】
【０００１】
本発明は、弔事（葬儀並びに法事）などにおいて果物や缶詰等の供物や花をセットして飾る装飾箱の台に関するものである。しかし、慶事あるいはお見舞いなどに贈る装飾箱の台としても利用できるものである。
【背景技術】
【０００２】
弔時には多くの果物や菓子又は缶詰等が盛り付けられた盛篭が供物として飾られている。この盛篭は、例えば中空の円錐台状をした籠受台上に、円状の盛皿が傾斜を有して取付けられ、盛皿には果物や菓子、缶詰等の供物が盛り付けられ、その周囲は造花等で飾られ、盛皿上部等に送り主が書かれた矢立が取付けられたものや、また、最近では、故人と生前親交の深い限られた会葬者のみで葬儀を執り行う家族葬のような形式も増加傾向にあり、飾り付けや移動で手間がかかり、場所も取る上記のような盛籠ではなく、台座と盛籠が一体型となっているコンパクトな盛籠の需要も多い。また、果物などの詰め合わせは技術を要し、高く積み上げる形成の盛籠は、お供え物が崩れる恐れがあるため地方発送は難しいとされている。
【０００３】
また、このような盛籠台や盛籠はプラスティックで形成されているが、故人を悼む気持ちを表現しづらい形成であり、葬儀後における盛籠の処分も問題になっている。近年、ごみ有料化の自治体も増加傾向にあり、一般家庭において、がたいの大きいプラスティック製の盛籠の処分は重い負担となっている。業者が回収する場合の人件費や燃料費などのコストもかかり、回収された盛籠も、一般には焼却処分されてしまい、焼却時に有害物質のダイオキシンなどが発生し、大気汚染や環境破壊につながってしまう。慶事やお見舞いの盛籠も同じ事が言える。
【０００４】
上記のような現状と要望から、紙やダンボール製の供物飾りや供物台も発明されている。例えば特許公開２００１−１９８０００と特許公開２００３−１８０５０９と実用新案登録第３１３２８６１号は、ダンボールなどの紙製で出来た供物台、供物飾りである。
【０００５】
しかし、特許公開２００１−１９８０００と特許公開２００３−１８０５０９のような形成では、組み立ても困難であり、移動の際の扱いも面倒である。また、コンパクトという面からは、家族葬や自宅での後飾り、法事用のお供えにも不便な大きさである。
更に、終了後は資源ゴミとしてリサイクル可能であるが、解体にも苦労を要する形成になっている。実用新案登録第３１３２８６１号は組立も簡単でコンパクトな作りになってはいるが、本発明の故人を悼む気持ちを表現するデザインを重視するものとは全く異なるものである。また、供花と果物などの商品をセットにしたお供も難しい形である。
【０００６】
特許公開２００３−１８０５０９
特許公開２００１−１９８０００
実用新案登録第３１３２８６１号
【発明の概要】
【発明が解決しようとする課題】
【０００７】
本発明は、上記従来の技術における問題を解決するためのもので、その課題とは、商品の詰め合わせが簡単で、移動や設置も手間がかからず、宅配便で送っても崩れる心配もなく受取人がそのままお供え物として飾れるものであり、紙製であることの利点を生かし、箱にメッセージを記入したり、色やデザインで見栄えの良い装飾箱と装飾箱用台座であって、使用後には、環境汚染を防ぎ、資源ゴミとして解体や回収も容易でリサイクルが可能な紙製の装飾箱と装飾箱用台座を提供することである。更には、仕切りを設ける事によって、供花と果物などの商品をセットにしたお供も可能にする装飾箱用台座を提供することである。
【課題を解決するための手段】
【０００８】
紙製の平板で、一体に連設した後壁、側壁、前壁、側壁から成る連続壁の下部にそれぞれ底部構成壁を有し、前壁上部には切込みを入れて左右側壁の斜傾する前方を折り曲げて側壁裏面部を形成し、更に側壁裏面部の前方に折り曲げ部を有し前壁上部の空洞に保持壁を設けたり、側壁裏面部の差込穴に仕切り板の差込を嵌めると仕切りを設けたり出来る箱体で、後壁上部の天板部構成壁となる延長部分の左右に側壁と側壁裏面部に出来るスリットに嵌める差込片を有し、それぞれ連続壁の縦折れ部分を折り曲げて、前壁からなる底部のくぼみに後壁からなる底部の差込を嵌めて折り畳み状態から組立てた厚紙製の箱で、上記内部の底に側壁に並行する側壁部裏面部先端の折り曲げ部分が支えられるストッパーになるように段差を設けた複数枚の厚紙製板と垂直する複数枚の厚紙製板とを交差させることによって形成した組立式紙製格子状補強材を置いた装飾箱用台座を提供する。
【０００９】
天板部構成壁を箱の内側に折り込み側壁部裏面部前方も折込まず、側壁裏面部に設けた差込穴に仕切り板の差込を嵌めると、上下の仕切りが出来、供花と果物などの商品を一緒にお供えできるものとする。仕切りの数を増やす事も可能である。
【００１０】
段ボールなどの紙製で出来ているため、どのようなデザインも可能である。箱の前壁部分に送り主や供養者名を記すデザインをプリントしたり、箱の外壁部分にメッセージを記入出来るデザインを施すことも自由に出来る。また、装飾箱ごと商品を取り外し、メッセージを記入した台座を畳み折りして、棺に入れて送り出すことも出来る。
【発明の効果】
【００１１】
上記のように、一連の紙を折り曲げて出来た紙製でコンパクトなデザインの装飾用台座は、組立も解体も簡単でリサイクル可能である。ゴミ有料化の地域に住んでいる人も資源ゴミとして処分出来るため負担がない。また、従来のプラスティック製の籠では表現できなかったデザインやメッセージを記入することで、故人を悼む気持ちを表すことが出来て棺にも入れられる素材である。
箱内部に仕切り板を設け、果物や缶詰等の供物と花を一緒にお供えすることが出来る。慶事あるいはお見舞いの際も同様である。
1件の弔事、慶事、お見舞いでの利用個数は少なくても日々のことであり、全体数で考えると毎日膨大な数になる。業者が回収する際の人件費や燃料費などのコストも不要であり、プラスティック製の籠を焼却する際に発生していた有害物質のダイオキシンなどでの大気汚染や環境破壊を防ぐ地球にやさしい発明である。
【図面の簡単な説明】
【００１２】
【図１】装飾箱台座の組立前の展開図である
【図２】補強材の部分図である。
【図３】格子状補強材の斜視図である。
【図４】装飾箱台座と装飾箱を設置した際の斜視図である
【図５】仕切り板の展開図である。
【図６】仕切り板を設置した際の斜視図である。
【発明を実施するための形態】
【００１３】
以下に、この発明実施例について、図面を参照して説明する。
【実施例１】
【００１４】
まず、図１〜図４に基づいて、本発明に係る装飾箱用台座の第１の例を説明する。
【００１５】
図１は装飾箱用台座の展開図であるが、段ボールなどの厚紙を打ち抜いて形成され、前壁３後壁１と側壁２、４を縦折線を介して連設し、側壁４の端部に縦折線4eを介して糊代２０を設けると共に各壁の下縁に横折線を介して箱の底となるフラップ５，６，７，８を連設している。また、後壁上縁には横折線を介して天板となる９、１０を連設し、側壁２、４の斜め上部には斜傾折線を介して側壁裏面部１１、１２と１３、１４を各連設し、前壁３の上縁にも横折線を介して前壁裏面部１５を連設してある。
【００１６】
より詳しくは、側壁４の端部の縦折線4eを山折し糊代２０と後壁１の1aを貼り付け、１、２、３、４各壁の下縁の横折線1b、2a、3a、4aを山折し、６、８を折り合せた上から７の窪みに５の差込を嵌めて底蓋を形成する有底角筒状箱体となる。前壁３の上縁の横折線3bを介して前壁裏面部１５を内側に折込み、後壁１の上縁の横折線1c山折して天板９と更に横折線1dを山折し天板裏面部１０を設け、天板９の左右両端の差込１６、１７を側壁２、４の上縁にあるスリット16aと17aに嵌めて天板部を形成する。
【００１７】
図２は、補強材の部分図と格子状補強材の斜視図であるが、やはり段ボールなどの厚紙を打ち抜いたもので、２２と２１を複数枚を格子状に組合わせて形成する。２１の21aに２２の22aを嵌め、２１の21bと２２の22bを嵌めて図３のような格子状補強材が出来る。これを上記の箱の底に21cが前壁側になるように設置し、重量物を飾っても底抜けすることを防ぐことが出来る。
【００１８】
側壁２の斜傾する前方の斜折線2bを山折し、側壁裏面部１１になり、側壁裏面部１１の上縁の斜折線2cを谷折して、側壁裏面部１２を格子状補強材２１の上部斜めに打ち抜かれた辺21dに支えられる形にして、装飾箱を収納した際のストッパーの役割になる。側壁４と側壁裏面部１３、１４も同様に折り、１４を２１´が支えるようにする。
【００１９】
図４は、組立した装飾箱用台座にサイズを合わせた装飾箱Ａを設置したものである。装飾箱Ａには予め果物などの供物を詰め合わせ、完成した装飾箱用台座に嵌めこむ形で設置する。箱の底は重量に耐えられるように補強材が設置されており、背部には装飾箱Ａを支える側壁裏面部１２と１４が形成されている。
【実施例２】
【００２０】
次に図５〜図６に基づいて、本発明に係る装飾箱用台座の第２の例を説明する。
【００２１】
図５は、仕切り板の展開図である。
仕切り板２３の上縁の横折線23aを山折し、仕切り板を作る。
天板部の９、１０を内側に折込、側壁裏面部１２、１４も同様に折込んで、側壁裏面部１１、１２の２５と側壁裏面部１３、１４の２６にそれぞれ仕切り板の25aと26aを差込むと上下の仕切りが出来、天板部も折込まれていることで開放されているので、上段の仕切り棚には、高さのある花などを飾ることも可能である。またこの仕切りの数も複数可能である。図６は、仕切り板を設置した際の斜視図である。
【産業上の利用可能性】
【００２２】
本発明は、弔事（葬儀並びに法事）などにおいて果物や缶詰等の供物や花をセットして飾る装飾箱の台に関するものであるが、慶事あるいはお見舞いなどに贈る装飾箱の台としても利用できるものである。また、商品は予めセットしてから飾るので、商品を陳列する陳列台としても利用可能である。
【符号の説明】
【００２３】
１  後壁
２  側壁
３  前壁
４  側壁
５〜８  底部
９  天板部
１０  天板裏面部
11〜１４  側壁裏面部
１５  前壁裏面部
１６、１７  差込片
１８、１９  側壁上縁部
２０  糊代
２１、２１´  補強材ストッパー付き
２２、２２´  補強材
２３、仕切り板
２４  仕切り板裏面部
【図１】
2011183092.tif 000003
【図２】
2011183092.tif 000004
【図３】
2011183092.tif 000005
【図４】
2011183092.tif 000006
【図５】
2011183092.tif 000007
【図６】
2011183092.tif 000008